(57)【要約】【課題】外部と接続される接続線あるいは端子等を増やすことなく、インバータ装置の内部の回路と外部との間でデータ通信を可能とする技術を提供する。【解決手段】インバータ装置１０１は、金属筐体を有する。金属筐体には、インバータ装置１０１に電力を供給するための電力線４と、インバータ装置から電力を出力するための出力線５とを通す穴が形成される。インバータ装置１０１は、さらに、インバータ回路１６を制御するマイクロコンピュータ１１と、金属筐体に収容されて、電力線４を通信路として用いて外部と通信する電力線モデム１４（通信回路）を備える。電力線モデム１４を通じて外部から受信したプログラムを、プログラムライタ１５によってマイクロコンピュータ１１に書込むことができる。【選択図】図５
2014204523.tif 000002
【特許請求の範囲】
【請求項１】
負荷を駆動するインバータ装置であって、
前記インバータ装置に電力を供給するための電力線と、前記インバータ装置から電力を出力するための出力線とを通す穴が形成された金属筐体と、
前記金属筐体に収容されて、前記電力線によって供給された電力から交流電力を生成して、前記交流電力を前記出力線を介して出力するインバータ回路と、
前記金属筐体に収容されて、制御プログラムを記憶するとともに前記制御プログラムに従って前記インバータ回路を制御する制御回路と、
前記金属筐体に収容されて、前記電力線によって供給される電力を用いて前記制御回路に供給される電源電圧を生成する電源回路と、
前記金属筐体に収容されて、前記電力線を通信路として用いて外部と通信する通信回路とを備える、インバータ装置。
【請求項２】
前記インバータ装置は、
前記金属筐体に収容されて、前記通信回路によって外部から取得された制御プログラムを前記制御回路に書き込む書込回路をさらに備え、
前記インバータ装置に電源が入力された後の所定時間の間に、前記制御回路が前記通信回路を介して、外部から前記制御回路へのプログラム書込を指示する信号を受けた場合には、前記制御回路は、前記インバータ回路を駆動せずにプログラム書換モードに遷移し、
前記制御回路が、前記所定時間の間に前記信号を受信しなかった場合には、前記制御回路は、前記所定時間の経過後に、前記インバータ回路を駆動する、請求項１に記載のインバータ装置。
【請求項３】
前記制御回路を実装する第１の基板と、
前記通信回路を実装する第２の基板とをさらに備える、請求項１または２に記載のインバータ装置。
【請求項４】
前記制御回路を実装する第１の基板と、
前記書込回路を実装する第２の基板とをさらに備える、請求項２に記載のインバータ装置。
【請求項５】
負荷を駆動するインバータ装置のためのデータ通信装置であって、
前記インバータ装置は、前記インバータ装置に電力を供給するための電力線と、前記インバータ装置から電力を出力するための出力線とを通す穴が形成された金属筐体と、
前記金属筐体に収容されて、前記電力線によって供給された電力から交流電力を生成して、前記交流電力を前記出力線を介して出力するインバータ回路とを含み、
前記データ通信装置は、
前記金属筐体に収容されて、制御プログラムを記憶するとともに前記制御プログラムに従って前記インバータ回路を制御する制御回路と、
前記金属筐体に収容されて、前記電力線によって供給される電力を用いて前記制御回路に供給される電源電圧を生成する電源回路と、
前記金属筐体に収容されて、前記電力線を通信路として用いて外部と通信する通信回路とを備える、インバータ装置のためのデータ通信装置。
【請求項６】
負荷を駆動するインバータ装置のためのデータ通信方法であって、
前記インバータ装置は、前記インバータ装置に電力を供給するための電力線と、前記インバータ装置から電力を出力するための出力線とを通す穴が形成された金属筐体と、
前記金属筐体に収容されて、前記電力線によって供給された電力から交流電力を生成して、前記交流電力を前記出力線を介して出力するインバータ回路と、前記金属筐体に収容されて、制御プログラムを記憶するとともに前記制御プログラムに従って前記インバータ回路を制御する制御回路とを含み、
前記データ通信方法は、
前記金属筐体に収容された通信回路によって、前記電力線を通信路として用いて外部と通信するステップを備える、インバータ装置のためのデータ通信方法。
【請求項７】
前記通信するステップは、
前記インバータ装置に電源が入力された後の所定時間の間に、前記制御回路が、前記通信回路を介して、外部から前記制御回路へのプログラム書込を指示する信号を受けるステップを含む、請求項６に記載のインバータ装置のためのデータ通信方法。
【発明の詳細な説明】
【技術分野】
【０００１】
本発明は、インバータ装置、インバータ装置のためのデータ通信装置およびインバータ装置のためのデータ通信方法に関する。特に本発明は、金属筐体で囲われたインバータ装置のデータ通信に関する。
【背景技術】
【０００２】
従来より、インバータ装置の内部に設けられた回路に、インバータ装置の外部からデータを書き込むための技術が提案されている。たとえば、特開２０１２−３９７１２号公報（特許文献１）によれば、インバータ装置は、アンテナと、アンテナに接続される記憶回路部とを具備する。記憶回路部は、アンテナで受信した電波から電力と各種情報を得る。
【０００３】
たとえば国際公開第２００４／１０７５５１号（特許文献２）によれば、インバータ装置は、接続コネクタを有する。インバータ装置の内部のマイクロコンピュータは、接続コネクタを通じて外部の電源ユニットあるいはパラメータユニットマイコンに接続される。これにより、インバータ装置の内部のマイクロコンピュータへのプログラムの書き込みが可能となる。
【先行技術文献】
【特許文献】
【０００４】
【特許文献１】特開２０１２−３９７１２号公報
【特許文献２】国際公開第２００４／１０７５５１号
【発明の概要】
【発明が解決しようとする課題】
【０００５】
インバータ装置に限らず、電子部品および／または電気部品を搭載した基板、あるいは装置は一般的に金属筐体に収容される。この目的は、たとえば、万が一の発火あるいは発煙の際に、延焼を防ぐためである。また、別の目的としては、金属筐体内部の電子部品から発生したノイズが金属筐体の外部に漏れ出ることを防止するためである。さらに別の目的としては、放熱性を高めるためである。
【０００６】
金属筐体を有する装置の場合、外部からの電波は金属筐体によって遮蔽されるので筐体の内部には届かない。つまり金属筐体の内部に設けられたアンテナは、金属筐体の外部からの電波を受信できない。したがって特開２０１２−３９７１２号公報に開示された構成を、金属筐体を有するインバータ装置に適用することは難しい。
【０００７】
また、国際公開第２００４／１０７５５１号に開示されるように、金属筐体を有する装置において、通信と電源供給とに別のコネクタを使用する場合、新たに接続用のコネクタを金属筐体に設けなければならない。しかし、コネクタを金属筐体の外側の面に設けることによってコネクタ端子が金属筐体から出た状態になる。端子が露出したままでは、腐食あるいは異物によって端子間の短絡が起こりえる。このためにコネクタがキャップ等で覆われる。
【０００８】
実際にインバータ装置が使用される状態において、稼動時には使用しないコネクタ面が金属筐体の外に出ていることは、インバータ装置を取り扱いにくくする要因であると考えられる。たとえば製品の組立時に手間が増えるといったこと、コネクタが他の部分に当たるといったこと、電線を固定する必要がある、といったことなどが、インバータ装置の取り扱いを悪くする原因となりえる。
【０００９】
さらに、新たに接続用のコネクタを金属筐体に設けるために、金属筐体の開口部分が増える。金属筐体の開口部分が増えることによって、金属筐体の内部から金属筐体の外部へと漏れ出す放射ノイズが増える。すなわち、ノイズの漏出しを防ぐ効果が弱くなるという課題がある。
【００１０】
このように、インバータ装置の内部回路がデータを受信するために、外部と接続される接続線あるいは端子等を増やした場合には、インバータ装置の取り扱い、およびノイズの漏れ出しの防止という点において課題が生じる。
【００１１】
この発明は、上記のような課題を解決するためになされたものであり、外部と接続される接続線あるいは端子等を増やすことなく、インバータ装置の内部の回路と外部との間でデータ通信を可能とする技術を提供することを目的とする。
【課題を解決するための手段】
【００１２】
本発明のある局面に係るインバータ装置は、負荷を駆動するインバータ装置であって、インバータ装置に電力を供給するための電力線と、インバータ装置から電力を出力するための出力線とを通す穴が形成された金属筐体と、金属筐体に収容されて、電力線によって供給された電力から交流電力を生成して、交流電力を出力線を介して出力するインバータ回路と、金属筐体に収容されて、制御プログラムを記憶するとともに制御プログラムに従ってインバータ回路を制御する制御回路と、金属筐体に収容されて、電力線によって供給される電力を用いて制御回路に供給される電源電圧を生成する電源回路と、金属筐体に収容されて、電力線を通信路として用いて外部と通信する通信回路とを備える。
【００１３】
本発明の他の局面に係るデータ通信装置は、負荷を駆動するインバータ装置のためのデータ通信装置であって、インバータ装置は、インバータ装置に電力を供給するための電力線と、インバータ装置から電力を出力するための出力線とを通す穴が形成された金属筐体と、金属筐体に収容されて、電力線によって供給された電力から交流電力を生成して、交流電力を前記出力線を介して出力するインバータ回路とを含む。データ通信装置は、金属筐体に収容されて、制御プログラムを記憶するとともに制御プログラムに従ってインバータ回路を制御する制御回路と、金属筐体に収容されて、電力線によって供給される電力を用いて制御回路に供給される電源電圧を生成する電源回路と、金属筐体に収容されて、電力線を通信路として用いて外部と通信する通信回路とを備える。
【００１４】
本発明の他の局面に係るデータ通信方法は、負荷を駆動するインバータ装置のためのデータ通信方法である。インバータ装置は、インバータ装置に電力を供給するための電力線と、インバータ装置から電力を出力するための出力線とを通す穴が形成された金属筐体と、金属筐体に収容されて、電力線によって供給された電力から交流電力を生成して、交流電力を出力線を介して出力するインバータ回路と、金属筐体に収容されて、制御プログラムを記憶するとともに制御プログラムに従ってインバータ回路を制御する制御回路とを含む。データ通信方法は、金属筐体に収容された通信回路によって、電力線を通信路として用いて外部と通信するステップを備える。
【発明の効果】
【００１５】
本発明によれば、外部と接続される接続線あるいは端子等を増やすことなく、インバータ装置の内部の回路と外部との間でデータ通信を実行することができる。
【図面の簡単な説明】
【００１６】
【図１】本発明の実施の形態１によるインバータ装置を概略的に示す外観図である。
【図２】図１に示すインバータ装置の内部を示す模式的断面図である。
【図３】図１に示すインバータ装置の内部を示すための一方向からの斜視図である。
【図４】図１に示すインバータ装置の内部を示すための他方向からの斜視図である。
【図５】本発明の実施の形態１によるインバータ装置が備える基板２の回路構成を示すブロック図である。
【図６】本発明の実施の形態１によるインバータ装置のプログラム書込み手順を示すフローチャートである。
【図７】本発明の実施の形態２によるインバータ装置が備える基板２の回路構成を示すブロック図である。
【図８】本発明の実施の形態３によるインバータ装置の内部を示す斜視図である。
【図９】本発明の実施の形態３によるインバータ装置の回路構成を示すブロック図である。
【図１０】本発明の実施の形態４によるインバータ装置の内部を示す斜視図である。
【図１１】本発明の実施の形態４によるインバータ装置の回路構成を示すブロック図である。
【発明を実施するための形態】
【００１７】
以下、本発明の実施の形態について、図面を参照しながら詳細に説明する。なお、図中同一または相当部分には同一符号を付してその説明は繰り返さない。
【００１８】
なお、この実施の形態において、「データ」とは、命令を意味するデータ（プログラム）、その命令を実行するために使用、加工されるデータを含むものとする。すなわちコンピュータが処理できるデータであれば、特にデータの種類は限定されない。
【００１９】
また、この実施の形態において、「通信」とは、データの受信およびデータの送信のいずれか一方、およびその両方を含む。したがって、データの受信およびデータの送信の両方が必要なものと限定されない。
【００２０】
［実施の形態１］
図１は、本発明の実施の形態１によるインバータ装置を概略的に示す外観図である。図２は、図１に示すインバータ装置の内部を示す模式的断面図である。図１および図２を参照して、実施の形態１によるインバータ装置１０１は、たとえば三相電動機８等の負荷を駆動するための装置である。ただし実施の形態１によるインバータ装置１０１の用途は特に限定されるものではない。
【００２１】
インバータ装置１０１は、金属筐体１と、基板２と、パワーＩＣ（Integrated Circuit）３とを有する。金属筐体１は、基板２と、パワーＩＣ３とを収容する。すなわち、基板２と、パワーＩＣ３は金属筐体１によって覆われる。
【００２２】
基板２は、パワーＩＣ３と電気的に接続される。パワーＩＣ３は、金属筐体１に取り付けられる。
【００２３】
パワーＩＣ３は、三相電動機８をインバータ駆動する。このときにパワーＩＣ３は熱を発生させる。パワーＩＣ３で生じた熱は、金属筐体１を介して雰囲気中に放出される。これによってパワーＩＣ３が冷却される。
【００２４】
基板２には、パワーＩＣ３を駆動するための回路が形成される。具体的には、基板２には、マイクロコンピュータ１１および、コンデンサあるいは抵抗素子などの周辺部品１２が搭載される。これらの電子部品は、パワーＩＣ３に電気的に接続される。マイクロコンピュータ１１は、三相電動機８のインバータ駆動電力を制御する。
【００２５】
さらに、基板２には、電力線４および出力線５が取付けられる。電力線４は、パワーＩＣ３へ電力を供給するための電力線である。出力線５は、パワーＩＣ３から三相電動機８に交流電力を出力するための電力線である。なお、電力線４を介して外部から入力される交流電力には、主に商用交流電力が用いられる。また、この実施の形態では、出力線５を介してパワーＩＣ３から出力される交流電力は三相交流電力である。
【００２６】
金属筐体１には電力線４を通すための穴６Ａと、出力線５を通すための穴６Ｂとが開けられている。図３は、図１に示すインバータ装置の内部を示すための一方向からの斜視図である。図４は、図１に示すインバータ装置の内部を示すための他方向からの斜視図である。
【００２７】
図２〜図４を参照して、穴６Ａ，６Ｂの直径は、たとえば電力線４の外径および出力線５の外径とほぼ同じ大きさとされている。ここで、「電力線４（出力線５）の外径」とは、電力線４（出力線５）の被覆外径である。穴６Ａ，６Ｂの直径を、それぞれ、電力線４の外径および出力線５の外径とほぼ同じ大きさとすることによって、金属筐体１による密閉性を保つことができる。なお、電力線４および出力線５にブッシングが通され、そのブッシングが穴６Ａ，６Ｂに通されていてもよい。この場合には、電力線４（出力線５）が通されたブッシングの外径が「電力線４（出力線５）の外径」に相当する。
【００２８】
さらに、金属筐体１の内部には、電気絶縁性を有するゲルが充填されていてもよい。そのようなゲルを金属筐体１の内部に充填することによって、パワーＩＣ３あるいは基板２で生じた熱を金属筐体１に伝えるための熱伝導率を大きくすることができる。
【００２９】
マイクロコンピュータ１１は、ＣＰＵ（Central Processing Unit）、フラッシュメモリ、およびＲＡＭ（Random Access Memory）等を備える。フラッシュメモリは、ＣＰＵによって実行され、インバータ回路を制御するための制御プログラムを不揮発的に記憶する。ＲＡＭは、ＣＰＵが各種処理を実行する際のワークエリアとして使用される。フラッシュメモリに記憶されている制御プログラムは、マイクロコンピュータが有する端子を介して外部から書き込む（制御プログラムを更新する）ことができる。なお、フラッシュメモリへの制御プログラムの書込みには、プログラムライタを使用することができる。
【００３０】
図５は、本発明の実施の形態１によるインバータ装置が備える基板２の回路構成を示すブロック図である。図５を参照して、基板２には、マイクロコンピュータ１１、コンバータ回路１３、電力線モデム１４、プログラムライタ１５、インバータ回路１６および電圧降下回路１７が搭載される。マイクロコンピュータ１１、電力線モデム１４および電圧降下回路１７は、本発明に係る「インバータ装置のためのデータ通信装置」を構成する。
【００３１】
コンバータ回路１３は電力線４に接続される。コンバータ回路１３は、電力線４を介して供給される交流電力を直流電圧に変換するとともに、電圧を昇圧する。昇圧された直流電圧は、インバータ回路１６へと供給される。
【００３２】
パワーＩＣ３は基板２に電気的に接続されており、インバータ回路１６の一部を構成する。インバータ回路１６は、コンバータ回路１３によって直流電力に変換された入力電力を、交流電力に再び変換する。インバータ回路１６は、変換後の交流電力を出力線５を介して出力する。出力された交流電力によって、三相電動機８が動作する。
【００３３】
上記のインバータ回路１６の動作は、マイクロコンピュータ１１によって制御される。すなわちマイクロコンピュータ１１は、インバータ回路１６を制御する制御回路である。
【００３４】
電圧降下回路１７は、コンバータ回路１３から供給された直流電力の電圧を降下させて、マイクロコンピュータ１１、電力線モデム１４、およびプログラムライタ１５の電源電圧を供給する。たとえば、電圧降下回路１７は、コンバータ回路１３から直流電力を受けて５Ｖの直流電圧を生成する。
【００３５】
電力線モデム１４は、本発明における「通信回路」を実現する。電力線モデム１４は、電圧降下回路１７から電源電圧を受ける。電力線モデム１４は、電力線４に接続されて電力線通信を行なう。具体的には、電力線モデム１４は、電力線４の電圧に伝送信号を重畳し、あるいは電力線４の電圧から伝送信号を分離することで外部にある電力線モデムと通信する。これにより、電力線モデム１４は、データの送受信を行なう。電力線モデム１４によって実行される電力線通信については、公知の種々の技術を適用することができるので、ここでは詳細な説明を繰り返さない。
【００３６】
プログラムライタ１５は、本発明における「書込回路」を実現する。プログラムライタ１５は、マイクロコンピュータ１１の内部のフラッシュメモリに制御プログラムを書き込むための回路である。プログラムライタ１５は、内部にＲＡＭを有し、受信したデータを一時的に保管することができる。
【００３７】
マイクロコンピュータ１１と、電力線モデム１４と、プログラムライタ１５とは基板２のパターン配線により電気的に相互に接続されて、データの通信が可能となる。電力線モデム１４が外部の電力線モデムを介して制御プログラムデータを受信すると、電力線モデム１４は、パターン配線を介してその制御プログラムのデータをプログラムライタ１５に送信する。プログラムライタ１５は、電力線モデム１４から制御プログラムのデータを受け取るとともに、その制御プログラムのデータをマイクロコンピュータ１１に送る。また、電力線モデム１４は、マイクロコンピュータ１１との間で、パターン配線を介して、プログラム書込みのコマンドなどを送受信する。
【００３８】
この実施の形態１において、使用者は電力線４を通信路として、電力線モデム１４との通信によって制御プログラムのデータをインバータ装置内の電力線モデム１４に送信することができる。電力線モデム１４に送信された制御プログラムのデータは、プログラムライタ１５によって、マイクロコンピュータ１１内のフラッシュメモリに書き込むことができる。
【００３９】
図６は、本発明の実施の形態１によるインバータ装置のプログラム書込み手順を示すフローチャートである。図６を参照して、まず、ステップＳ１において、インバータ装置１０１に電源が入力される。
【００４０】
ステップＳ２において、インバータ装置１０１（具体的にはマイクロコンピュータ１１）は、インバータ回路１６の駆動準備時間を設定する。この駆動準備時間の間に、マイクロコンピュータ１１は、電力線モデム１４が、プログラム書込信号を受信したかどうかを確認する（ステップＳ３）。電力線モデム１４がプログラム書込信号を受信した場合、電力線モデム１４はそのプログラム書込信号をマイクロコンピュータ１１に送信する。マイクロコンピュータ１１は、プログラム書込信号を受けることで電力線モデム１４がプログラム書込信号を受信したことを確認することができる。
【００４１】
駆動準備時間の間に電力線モデム１４がプログラム書込信号を受信した場合（ステップＳ３においてＹＥＳ）、処理はステップＳ４に進む。ステップＳ４において、マイクロコンピュータ１１は、インバータ回路１６の駆動準備を停止する。次にステップＳ５において、マイクロコンピュータ１１は、その動作モードをプログラム書換モードへと遷移する。プログラム更新が完了するまでマイクロコンピュータ１１は、プログラム書換モードとされる。
【００４２】
ステップＳ５の後、電力線モデム１４およびプログラムライタ１５によってマイクロコンピュータ１１のプログラムが更新される。具体的には、プログラム書換モードの間に、電力線モデム１４は、電力線４を通じて、制御プログラムに関するデータを外部から受信して、プログラムライタ１５へ、その制御プログラムのデータを送信する。プログラムライタ１５は、マイクロコンピュータ１１の中のフラッシュメモリに記憶されているプログラムを、新しいプログラム（電力線モデム１４から受信したプログラム）へと書換える。
【００４３】
プログラムライタ１５（マイクロコンピュータ１１でもよい）は、ステップＳ６において、プログラム更新が完了したかどうかを確認する。プログラム更新が完了していない場合（ステップＳ６においてＮＯ）、ステップＳ６の処理が繰り返される。
【００４４】
一方、プログラム更新が完了した場合（ステップＳ６においてＹＥＳ）、プログラムライタ１５は、プログラムの更新が完了したことを示す情報を電力線モデム１４に送信する。電力線モデム１４は、この情報を、電力線４を通じて外部の電力線モデムへと送信して、使用者にマイクロコンピュータ１１のプログラムの更新が完了したことを通知する（ステップＳ７）。
【００４５】
使用者はインバータ装置１０１の駆動開始をする場合は、インバータ回路１６の駆動を開始するためのコマンドを、外部の電力線モデムを介してインバータ装置１０１に送信する。ステップＳ８において、マイクロコンピュータ１１は、電力線モデム１４を介してインバータ駆動信号を受信したかどうかを確認する。マイクロコンピュータ１１がインバータ駆動信号を受信していない場合（ステップＳ８においてＮＯ）、ステップＳ８の処理が繰り返される。
【００４６】
一方、マイクロコンピュータ１１がインバータ駆動信号を受信した場合（ステップＳ８においてＹＥＳ）、処理はステップＳ９に進む。ステップＳ９において、マイクロコンピュータ１１はインバータ回路１６を制御して、インバータ回路１６の駆動を開始させる。使用者がプログラムの更新のみをしたい場合は、インバータ回路駆動のコマンドをインバータ装置１０１に送信せずに、たとえば電源を落としてもよい。これにより、ステップＳ８，Ｓ９の処理をスキップすることができる。
【００４７】
また、インバータ回路１６の駆動準備時間の間に電力線モデム１４がプログラム書込み信号を受信しなかった場合（ステップＳ３においてＮＯ）、処理はステップＳ９に進み、インバータ回路の駆動が開始される。
【００４８】
上記手順により、インバータ回路を駆動することなく、マイクロコンピュータ１１にプログラムを書込むことができる。インバータ回路が駆動していないため、インバータの出力にともなうノイズが発生しない。したがって、電力線通信に、インバータ出力ノイズの影響が生じることを防ぐことができる。これにより、電力供給用の電力線を使用してデータを安定的に送受信することができる。このため電力供給用の電線のほかに、別途電力線通信用の電線を接続しなくてもよい。
【００４９】
実施の形態１によれば、電力線４を介した電力線通信により、マイクロコンピュータ１１に制御プログラムを書き込むことができる。インバータ装置１０１は、密閉された金属筐体１を有する。電力線および出力線以外に、制御プログラム書込用の通信線（接続線）をインバータ装置１０１に設ける必要がない。したがって、インバータ装置の取り扱いを容易にすることができる。たとえば、インバータ装置の組立てを容易にすることができる。あるいは、そのような通信線を固定するための作業が不要となる。
【００５０】
さらに実施の形態１によれば、金属筐体１には、電力線４および出力線５を通すための穴のみが開けれらている。すなわち、金属筐体１には必要最低限の数の穴しか開けられていない。これによって金属筐体１の開口部を最小限にすることができるので、インバータ装置１０１の内部からインバータ装置１０１の外部へのノイズの漏れ出しを抑えることができる。
【００５１】
［実施の形態２］
実施の形態２では、電力線４に入力される電力は、直流電源（たとえばバッテリーなど）からの直流電力である。実施の形態２によるインバータ装置の構成は、図１〜図４に示す構成と同様である。実施の形態２では、実施の形態１に比べて、基板２に搭載される回路の構成が異なる。
【００５２】
図７は、本発明の実施の形態２によるインバータ装置が備える基板２の回路構成を示すブロック図である。図５および図７を参照して、実施の形態２では、コンバータ回路１３に代えて、昇圧回路１８が基板２に実装される。さらに、電力線モデム１４に代えて、電力線モデム１４Ａが基板２に実装される。
【００５３】
昇圧回路１８は、電力線４を介して入力される直流電圧を昇圧して、インバータ回路１６および電圧降下回路１７に供給する。電圧降下回路１７は、昇圧回路１８からの直流電圧を降圧して、その降圧された直流電圧を、マイクロコンピュータ１１、電力線モデム１４Ａおよびプログラムライタ１５に電源電圧として供給する。電力線モデム１４Ａは、直流電力用の電力線モデムであり、電力線モデム１４（交流電力用の電力線モデム）と同じく、電力線４の電圧に伝送信号を重畳し、あるいは電力線４の電圧から伝送信号を分離することで外部にある電力線モデムと通信する。なお、インバータ装置のプログラム書込み手順は、図６に示したフローチャートでの手順と同様である。
【００５４】
実施の形態２によれば、実施の形態１と同じく、インバータ装置の取り扱いを容易にすることができる。さらに、インバータ装置１０１の内部からインバータ装置１０１の外部へのノイズの漏れ出しを抑えることができる。
【００５５】
［実施の形態３］
実施の形態３では、インバータ装置の内部の構成の点で実施の形態１と異なる。
【００５６】
図８は、本発明の実施の形態３によるインバータ装置の内部を示す斜視図である。図９は、本発明の実施の形態３によるインバータ装置の回路構成を示すブロック図である。図８および図９を参照して、電力線モデム１４は、基板２１に搭載される。基板２１は、マイクロコンピュータ１１が搭載された基板２とは異なる基板である。
【００５７】
基板２１は、コネクタ２３，２５と電線２２，２４とを介して基板２に接続される。他の機種のインバータ装置では、基板２の設計が異なる場合がありえる。このような場合であっても、コネクタおよび電線を変更することにより、同じ設計の基板２１を、その機種の基板２に接続することができる。
【００５８】
また、電力線モデム１４には、汎用的に存在する電力線モデムを使用することができる。この場合、電力線モデム１４を金属筐体１に取り付けるとともに、電線あるいはコネクタにより、電力線モデム１４を基板２および電力線４に接続してもよい。
【００５９】
また、電力線モデム１４にプログラムライタ１５の機能を追加で持たせたものを使用してもよい。
【００６０】
なお、インバータ装置の回路構成自体は、実施の形態１と同様である。したがって、インバータ装置のプログラム書込み手順は、図６に示したフローチャートでの手順と同様である。
【００６１】
また、電力線４に入力される電力の種類は直流電力であってもよい。この場合には、実施の形態２と同様に、コンバータ回路１３に代えて昇圧回路１８（図７参照）が用いられるとともに、電力線モデム１４に代えて電力線モデム１４Ａ（図７参照）が用いられる。
【００６２】
実施の形態３によれば、実施の形態１と同じく、インバータ装置の取り扱いを容易にすることができる。さらに、インバータ装置１０１の内部からインバータ装置１０１の外部へのノイズの漏れ出しを抑えることができる。
【００６３】
［実施の形態４］
実施の形態３と同じく、実施の形態４では、インバータ装置の内部の構成の点で実施の形態１と異なる。
【００６４】
図１０は、本発明の実施の形態４によるインバータ装置の内部を示す斜視図である。図１１は、本発明の実施の形態４によるインバータ装置の回路構成を示すブロック図である。図１０および図１１を参照して、プログラムライタ１５は、基板３１に搭載される。基板３１は、マイクロコンピュータ１１が搭載された基板２とは異なる基板である。なお、図１０および図１１に示された構成では、電力線モデム１４は、基板２に搭載される。
【００６５】
基板３１は、コネクタ３３，３５と電線３２，３４とを介して基板２に接続される。他の機種のインバータ装置では、基板２の設計が異なる場合がありえる。このような場合であっても、実施の形態３と同様に、コネクタおよび電線を変更することにより、同じ設計の基板２１を、その機種の基板２に接続することができる。
【００６６】
インバータ装置の回路構成自体は、実施の形態１と同様である。したがって、インバータ装置のプログラム書込み手順は、図６に示したフローチャートでの手順と同様である。
【００６７】
実施の形態４によれば、実施の形態１と同じく、インバータ装置の取り扱いを容易にすることができる。さらに、インバータ装置１０１の内部からインバータ装置１０１の外部へのノイズの漏れ出しを抑えることができる。
【００６８】
なお、基板３１に、プログラムライタ１５だけでなく、電力線モデム１４も搭載してもよい。あるいは、インバータ装置１０１は、マイクロコンピュータ１１等を搭載した基板２と、電力線モデム１４を搭載した基板（図９の基板２１）と、プログラムライタ１５を搭載した基板３１とを備えていてもよい。このように、汎用的な製品を利用する観点で、インバータ装置に種々の構成を採用することができる。
【００６９】
また、電力線４に入力される電力の種類は直流電力であってもよい。この場合には、実施の形態２と同様に、コンバータ回路１３に代えて昇圧回路１８（図７参照）が用いられるとともに、電力線モデム１４に代えて電力線モデム１４Ａ（図７参照）が用いられる。
【００７０】
また、上記の各実施の形態では、インバータ装置がデータを受信する場合について説明した。しかし、上記のように、「データ通信」は、データの受信のみに限定されるものではない。すなわち、各実施の形態に係るインバータ装置はデータの送信を行なってもよい。また、各実施の形態に係るインバータ装置は、データの受信およびデータの送信のいずれか一方のみを行なうものと限定されず、データの受信およびデータの送信の両方を行なってもよい。
【００７１】
今回開示された実施の形態はすべての点で例示であって制限的なものでないと考えられるべきである。本発明の範囲は上記した説明ではなくて特許請求の範囲によって示され、特許請求の範囲と均等の意味および範囲内でのすべての変更が含まれることが意図される。
【符号の説明】
【００７２】
１  金属筐体、２，２１，３１  基板、３  パワーＩＣ、４  電力線、５  出力線、６Ａ，６Ｂ  穴、８  三相電動機、１１  マイクロコンピュータ、１２  周辺部品、１３  コンバータ回路、１４，１４Ａ  電力線モデム、１５  プログラムライタ、１６  インバータ回路、１７  電圧降下回路、１８  昇圧回路、２２，２４，３２，３４  電線、２３，２５，３３，３５  コネクタ、１０１  インバータ装置、Ｓ１〜Ｓ９  ステップ。
【図１】
2014204523.tif 000003
【図２】
2014204523.tif 000004
【図３】
2014204523.tif 000005
【図４】
2014204523.tif 000006
【図５】
2014204523.tif 000007
【図６】
2014204523.tif 000008
【図７】
2014204523.tif 000009
【図８】
2014204523.tif 000010
【図９】
2014204523.tif 000011
【図１０】
2014204523.tif 000012
【図１１】
2014204523.tif 000013